(57)【要約】【課題】速度制御によりフォーカスレンズの速度を制御する場合に、撮像装置の使用環境の変化などにより、フォーカスレンズの移動が安定しないことがある。【解決手段】レンズとレンズを駆動する電動機を備える撮像装置を制御する制御装置は、撮像装置の姿勢を示す姿勢情報を取得する第1取得部と、姿勢情報に基づいて第１電流値を決定する決定部と、レンズの速度を示す値とレンズの目標速度を示す目標値との差分に基づいて、電動機に供給する電流を制御することで、レンズの速度が目標速度になるように速度制御を実行する制御部とを備えてよい。制御部は、速度制御を開始するときに第１電流値の電流が電動機に供給されるように、速度制御を実行してよい。【選択図】図６
2020067558.tif 000002
【特許請求の範囲】
【請求項１】
レンズと前記レンズを駆動する電動機を備える撮像装置を制御する制御装置であって、
前記撮像装置の姿勢を示す姿勢情報を取得する第1取得部と、
前記姿勢情報に基づいて第１電流値を決定する決定部と
前記レンズの速度を示す値と前記レンズの目標速度を示す目標値との差分に基づいて、前記電動機に供給する電流を制御することで、前記レンズの速度が前記目標速度になるように速度制御を実行する制御部と
を備え、
前記制御部は、前記速度制御を開始するときに前記第１電流値の電流が前記電動機に供給されるように、前記速度制御を実行する、制御装置。
【請求項２】
前記制御部は、前記差分の積分値を示す値に基づいて、前記速度制御を実行し、
前記決定部は、前記差分の積分値を示す値の初期値として、前記第１電流値を決定する、請求項１に記載の制御装置。
【請求項３】
前記決定部は、前記レンズの移動方向にさらに基づいて前記第１電流値を決定する、請求項１に記載の制御装置。
【請求項４】
前記決定部は、第１電流値、前記撮像装置の姿勢、及び前記レンズの移動方向の予め定められた対応関係を示す情報に基づいて、前記第１電流値を決定する、請求項１に記載の制御装置。
【請求項５】
前記速度制御が実行されているときに、前記電動機に供給されている電流の第２電流値を取得する第２取得部と、
前記第２電流値に基づいて、前記予め定められた対応関係に示される前記姿勢情報が示す前記撮像装置の姿勢及び前記レンズの移動方向に対応する第１電流値を更新する更新部と
を備える、請求項４に記載の制御装置。
【請求項６】
前記更新部は、前記第２電流値が予め定められた電流値の範囲の場合、前記第２電流値に基づいて、前記予め定められた対応関係に示される前記姿勢情報が示す前記撮像装置の姿勢及び前記レンズの移動方向に対応する第１電流値を更新する、請求項５に記載の制御装置。
【請求項７】
前記更新部は、前記レンズの移動が開始されてから予め定められた期間が経過した後の前記第２電流値が前記第２取得部により取得されている場合、前記第２電流値に基づいて前記予め定められた対応関係に示される前記姿勢情報が示す前記撮像装置の姿勢及び前記レンズの移動方向に対応する第１電流値を更新する、請求項５に記載の制御装置。
【請求項８】
前記更新部は、前記第２電流値を予め定められた条件に従って小さくした値に、前記予め定められた対応関係に示される前記姿勢情報が示す前記撮像装置の姿勢及び前記レンズの移動方向に対応する第１電流値を更新する、請求項５に記載の制御装置。
【請求項９】
前記電動機は、ギアまたはカムを介して前記レンズを駆動する、請求項１に記載の制御装置。
【請求項１０】
請求項１から９の何れか1つに記載の制御装置と、
前記レンズと、
前記電動機と、
前記レンズを介して光を受光するイメージセンサと
を備える撮像装置。
【請求項１１】
請求項１０に記載の撮像装置と、前記撮像装置の姿勢を調整可能に支持する支持機構とを備えて移動する移動体。
【請求項１２】
レンズと前記レンズを駆動する電動機を備える撮像装置を制御する制御方法であって、
前記撮像装置の姿勢を示す姿勢情報を取得する段階と、
前記姿勢情報に基づいて第１電流値を決定する段階と
前記レンズの速度を示す値と前記レンズの目標速度を示す目標値との差分に基づいて、前記電動機に供給する電流を制御することで、前記レンズの速度が前記目標速度になるように速度制御を実行する段階と
を備え、
前記速度制御を実行する段階は、前記速度制御を開始するときに前記第１電流値の電流が前記電動機に供給されるように、前記速度制御を実行する段階を含む、制御方法。
【請求項１３】
請求項１から９の何れか１つに記載の制御装置としてコンピュータを機能させるためのプログラム。
【発明の詳細な説明】
【技術分野】
【０００１】
本発明は、制御装置、撮像装置、移動体、制御方法、及びプログラムに関する。
【背景技術】
【０００２】
特許文献１には、撮像装置の姿勢の検知情報とレンズの移動方向から決定された速度情報に基づいてレンズを制御することが記載されている。
特許文献１  特開平９−７３０３０号公報
【発明の概要】
【発明が解決しようとする課題】
【０００３】
速度制御によりフォーカスレンズの速度を制御する場合に、撮像装置の使用環境の変化などにより、フォーカスレンズの移動が安定しないことがある。
【課題を解決するための手段】
【０００４】
本発明の一態様に係る制御装置は、レンズとレンズを駆動する電動機を備える撮像装置を制御する制御装置でよい。制御装置は、撮像装置の姿勢を示す姿勢情報を取得する第1取得部を備えてよい。制御装置は、姿勢情報に基づいて第１電流値を決定する決定部を備えてよい。制御装置は、レンズの速度を示す値とレンズの目標速度を示す目標値との差分に基づいて、電動機に供給する電流を制御することで、レンズの速度が目標速度になるように速度制御を実行する制御部を備えてよい。制御部は、速度制御を開始するときに第１電流値の電流が電動機に供給されるように、速度制御を実行してよい。
【０００５】
制御部は、差分の積分値を示す値に基づいて、速度制御を実行してよい。決定部は、差分の積分値を示す値の初期値として、第１電流値を決定してよい。
【０００６】
決定部は、レンズの移動方向にさらに基づいて第１電流値を決定してよい。
【０００７】
決定部は、第１電流値、撮像装置の姿勢、及びレンズの移動方向の予め定められた対応関係を示す情報に基づいて、第１電流値を決定してよい。
【０００８】
制御装置は、速度制御が実行されているときに、電動機に供給されている電流の第２電流値を取得する第２取得部を備えてよい。制御装置は、第２電流値に基づいて、予め定められた対応関係に示される姿勢情報が示す撮像装置の姿勢及びレンズの移動方向に対応する第１電流値を更新する更新部を備えてよい。
【０００９】
更新部は、第２電流値が予め定められた電流値の範囲の場合、第２電流値に基づいて、予め定められた対応関係に示される姿勢情報が示す撮像装置の姿勢及びレンズの移動方向に対応する第１電流値を更新してよい。
【００１０】
更新部は、レンズの移動が開始されてから予め定められた期間が経過した後の第２電流値が第２取得部により取得されている場合、第２電流値に基づいて予め定められた対応関係に示される姿勢情報が示す撮像装置の姿勢及びレンズの移動方向に対応する第１電流値を更新してよい。
【００１１】
更新部は、第２電流値を予め定められた条件に従って小さくした値に、予め定められた対応関係に示される姿勢情報が示す撮像装置の姿勢及びレンズの移動方向に対応する第１電流値を更新してよい。
【００１２】
電動機は、ギアまたはカムを介してレンズを駆動してよい。
【００１３】
本発明の一態様に係る撮像装置は、上記制御装置を備えてよい。撮像装置は、レンズと、電動機と、レンズを介して光を受光するイメージセンサとを備えてよい。
【００１４】
本発明の一態様に係る移動体は、上記撮像装置と、撮像装置の姿勢を調整可能に支持する支持機構とを備えて移動する移動体でよい。
【００１５】
本発明の一態様に係る制御方法は、レンズとレンズを駆動する電動機を備える撮像装置を制御する制御方法でよい。制御方法は、撮像装置の姿勢を示す姿勢情報を取得する段階を備えてよい。制御方法は、姿勢情報に基づいて第１電流値を決定する段階を備えてよい。制御方法は、レンズの速度を示す値とレンズの目標速度を示す目標値との差分に基づいて、電動機に供給する電流を制御することで、レンズの速度が目標速度になるように速度制御を実行する段階を備えてよい。速度制御を実行する段階は、速度制御を開始するときに第１電流値の電流が電動機に供給されるように、速度制御を実行する段階を含んでよい。
【００１６】
本発明の一態様に係るプログラムは、上記制御装置としてコンピュータを機能させるためのプログラムでよい。
【００１７】
本発明の一態様によれば、度制御によりフォーカスレンズの速度を制御する場合に、撮像装置の使用環境の変化などにより、フォーカスレンズの移動が不安定になることを抑制できる。
【００１８】
なお、上記の発明の概要は、本発明の必要な特徴の全てを列挙したものではない。また、これらの特徴群のサブコンビネーションもまた、発明となりうる。
【図面の簡単な説明】
【００１９】
【図１】撮像装置の外観斜視図の一例を示す図である。
【図２】撮像装置の機能ブロックを示す図である。
【図３】速度制御部により実行されるＰＩＤ制御のブロック線図の一例を示す図である。
【図４】フォーカスレンズの速度及び電動機に供給される電流の電流値の時間的な変化の一例を示す図である。
【図５】傾斜角、電流値、及びレンズの移動方向の対応関係を示す情報の一例を示す図である。
【図６】初期値の電流値を更新する手順の一例を示すフローチャートである。
【図７】無人航空機及び遠隔操作装置の外観の一例を示す図である。
【図８】ハードウェア構成の一例を示す図である。
【発明を実施するための形態】
【００２０】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。その様な変更または改良を加えた形態も本発明の技術的範囲に含まれ得ることが、特許請求の範囲の記載から明らかである。
【００２１】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００２２】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２３】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２４】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２５】
図１は、本実施形態に係る撮像装置１００の外観斜視図の一例を示す図である。図２は、本実施形態に係る撮像装置１００の機能ブロックを示す図である。
【００２６】
撮像装置１００は、撮像部１０２及びレンズ部２００を備える。撮像部１０２は、イメージセンサ１２０、撮像制御部１１０、及びメモリ１３０を有する。イメージセンサ１２０は、ＣＣＤまたはＣＭＯＳにより構成されてよい。イメージセンサ１２０は、ズームレンズ２１１及びフォーカスレンズ２１０を介して結像された光学像の画像データを撮像制御部１１０に出力する。撮像制御部１１０は、ＣＰＵまたはＭＰＵなどのマイクロプロセッサ、ＭＣＵなどのマイクロコントローラなどにより構成されてよい。メモリ１３０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ１３０は、撮像制御部１１０がイメージセンサ１２０などを制御するのに必要なプログラム等を格納する。メモリ１３０は、撮像装置１００の筐体の内部に設けられてよい。メモリ１３０は、撮像装置１００の筐体から取り外し可能に設けられてよい。
【００２７】
撮像部１０２は、指示部１６２及び表示部１６０をさらに有してよい。指示部１６２は、撮像装置１００に対する指示をユーザから受け付けるユーザインタフェースである。表示部１６０は、イメージセンサ１２０により撮像された画像、撮像装置１００の各種設定情報などを表示する。表示部１６０は、タッチパネルで構成されてよい。
【００２８】
レンズ部２００は、フォーカスレンズ２１０、ズームレンズ２１１、レンズ駆動部２１２、レンズ駆動部２１３及びレンズ制御部２２０を有する。フォーカスレンズ２１０、及びズームレンズ２１１は、少なくとも１つのレンズを含んでよい。フォーカスレンズ２１０、及びズームレンズ２１１の少なくとも一部または全部は、光軸に沿って移動可能に配置される。レンズ部２００は、撮像部１０２に対して着脱可能に設けられる交換レンズでよい。レンズ駆動部２１２は、電動機２１６、及びエンコーダ２１８を含む。電動機２１６は、ＤＣモータ、コアレスモータ、または超音波モータでよい。エンコーダ２１８は、電動機２１６の回転数、及び回転速度を検出する。レンズ駆動部２１２は、電動機２１６からの動力をカム環、ガイド軸などの機構部材を介してフォーカスレンズ２１０の少なくとも一部または全部に伝達して、フォーカスレンズ２１０の少なくとも一部または全部を光軸に沿って移動させる。レンズ駆動部２１３は、電動機２１７、及びエンコーダ２１９を含む。電動機２１７は、ステッピングモータ、ＤＣモータ、コアレスモータ、または超音波モータでよい。エンコーダ２１９は、電動機２１７の回転数、及び回転速度を検出する。レンズ駆動部２１３は、電動機２１７からの動力をカム環、ガイド軸などの機構部材を介してズームレンズ２１１の少なくとも一部または全部に伝達して、ズームレンズ２１１の少なくとも一部または全部を光軸に沿って移動させる。レンズ制御部２２０は、撮像部１０２からのレンズ制御命令に従って、レンズ駆動部２１２及びレンズ駆動部２１３の少なくとも一方を駆動して、機構部材を介してフォーカスレンズ２１０及びズームレンズ２１１の少なくとも一方を光軸方向に沿って移動させることで、ズーム動作及びフォーカス動作の少なくとも一方を実行する。レンズ制御命令は、例えば、ズーム制御命令、及びフォーカス制御命令である。機構部材は、ギア及びカムの少なくとも一方を含む。
【００２９】
レンズ部２００は、メモリ２２２をさらに有する。メモリ２２２は、レンズ駆動部２１２、及びレンズ駆動部２１３を介して移動するフォーカスレンズ２１０、及びズームレンズ２１１の制御値を記憶する。メモリ２２２は、ＳＲＡＭ、ＤＲＡＭ、ＥＰＲＯＭ、ＥＥＰＲＯＭ、及びＵＳＢメモリなどのフラッシュメモリの少なくとも１つを含んでよい。
【００３０】
このように構成された撮像装置１００において、レンズ制御部２２０は、電動機２１６に供給される電流を制御することで、フォーカスレンズ２１０の速度を制御する。電動機２１６が、ＤＣモータ、コアレスモータ、または超音波モータなどである場合、電動機２１６に供給される電流を停止させた後、フォーカスレンズ２１０は即座に停止せず、減速しながら、ある程度移動した後、停止する。そのため、電動機２１６への電流の供給が停止した後、予め定められた速度で移動しているフォーカスレンズ２１０が停止するまでに移動する距離をシミュレーションまたは実験等で測定しておく。そして、レンズ制御部２２０は、その距離を考慮して、フォーカスレンズ２１０が目標位置に到達する前に電動機２１６への電流の供給を停止させる。これにより、レンズ制御部２２０は、フォーカスレンズ２１０を目標位置に停止させる。
【００３１】
レンズ制御部２２０は、フォーカスレンズ２１０の速度が目標速度になるように速度制御を実行する速度制御部２３０を有する。速度制御部２３０は、フォーカスレンズ２１０の速度を示す値とフォーカスレンズ２１０の目標速度を示す目標値との差分に基づいて、電動機２１６に供給する電流を制御することで、目標速度の速度制御を実行する。速度制御部２３０は、フォーカスレンズ２１０の速度を示す値とフォーカスレンズ２１０の目標速度を示す目標値との差分に基づいて、ＰＩＤ制御により電動機２１６に供給する電流を制御することで、目標速度の速度制御を実行してよい。
【００３２】
図３は、速度制御部２３０により実行されるＰＩＤ制御のブロック線図の一例を示す。速度制御部２３０は、予め定められた目標速度Ａ（ｔ）と実速度Ｖ（ｔ）との差分ｅ（ｔ）を導出する。速度制御部２３０は、差分ｅ（ｔ）に比例ゲインＫｐを乗算した値と、差分ｅ（ｔ）を積分した値に比例ゲインＫｉを乗算した値と、差分ｅ（ｔ）を微分した値とに基づいて、電動機２１６を制御するための制御量Ｕ（ｔ）を導出する。速度制御部２３０は、エンコーダ２１８で検出される電動機２１６の回転速度を、実速度Ｖ（ｔ）を示す値として取得してよい。
【００３３】
図４は、フォーカスレンズ２１０の速度及び電動機２１６に供給される電流の時間的な変化の一例を示す図である。（Ａ）は、フォーカスレンズ２１０の速度の時間的な変化の一例を示す。（Ｂ）は、レンズが下向きの状態で、レンズが撮像装置１００の前方側に移動する場合に、電動機２１６に供給される電流の時間的な変化の一例を示す。（Ｃ）は、レンズが上向きの状態で、レンズが撮像装置１００の前方側に移動する場合に、電動機２１６に供給される電流の時間的な変化の一例を示す。
【００３４】
図４に示すように、速度制御部２３０は、フォーカスレンズ２１０が予め定められた速度Ｖ１で移動するように、電動機２１６に供給される電流を制御することで、ＰＩＤ制御でフォーカスレンズ２１０の速度制御を実行する。そして、速度制御部２３０は、フォーカスレンズ２１０の位置が目標位置に到達する前のタイミングＴ０で電動機２１６への電流の供給を停止する。その後、フォーカスレンズ２１０は、徐々に減速して停止する。
【００３５】
フォーカスレンズ２１０の移動を開始させる場合、速度制御部２３０は、速度制御を開始する前に、電動機２１６に比較的な大きな電流、例えば最大電流Ｉｓを供給して、電動機２１６を始動させてフォーカスレンズ２１０の速度が目標速度になるまで加速させる。その後、速度制御部２３０は、ＰＩＤ制御による速度制御を実行する。
【００３６】
速度制御部２３０が、ＰＩＤ制御による速度制御を開始する場合、点線５００で示すように、電動機２１６に供給される電流を一旦ゼロにして、徐々に、大きくする。この場合、点線５０１で示すように、速度制御の開始直後、フォーカスレンズ２１０の速度が安定しない。そのため、速度制御部２３０は、ＰＩＤ制御による速度制御を開始する場合、電動機２１６に供給される電流をゼロにせず、速度制御の開始時からゼロ以上の電流値の電流を電動機２１６に供給することが好ましい。しかし、図４の（Ｂ）及び（Ｃ）に示すように、フォーカスレンズ２１０の目標速度が同じでも、撮像装置１００の姿勢によって、フォーカスレンズ２１０の速度が目標速度になるように速度制御を実行している間に、電動機２１６に供給される電流の大きさは異なる。したがって、撮像装置１００の姿勢によらず、予め定められた電流値の電流が速度制御の開始時に電動機２１６に供給された場合、フォーカスレンズ２１０の移動が安定しない場合がある。
【００３７】
そこで、速度制御部２３０は、速度制御を開始するとき、撮像装置１００の姿勢に基づく電流値の電流が電動機２１６に供給されるように、速度制御を実行する。これにより、速度制御の開始直後に、フォーカスレンズ２１０の移動が不安定になることを抑制できる。
【００３８】
レンズ部２００は、撮像装置１００の姿勢を検知する姿勢センサ２４０を有する。姿勢センサ２４０は、３軸加速度センサでよい。姿勢センサ２４０は、撮像部１０２に設けられてもよい。レンズ制御部２２０は、姿勢情報取得部２２４、決定部２２６、電流値取得部２２７、及び更新部２２８をさらに有する。姿勢情報取得部２２４は、撮像装置１００の姿勢を示す姿勢情報を取得する。姿勢情報は、撮像装置１００の光軸の水平軸からの傾斜角度を撮像装置１００の姿勢として示してよい。
【００３９】
決定部２２６は、姿勢情報に基づいて、速度制御を開始するときに電動機２１６に供給する第１電流値を決定する。決定部２２６は、撮像装置１００の姿勢と、速度制御を開始するときに電動機２１６に供給する電流値との予め定められた対応関係を示す情報に基づいて、第１電流値を決定してよい。決定部２２６は、撮像装置１００の姿勢と、速度制御を開始するときに電動機２１６に供給する電流値と、フォーカスレンズ２１０の移動方向との予め定められた対応関係を示す情報に基づいて、第１電流値を決定してよい。
【００４０】
速度制御部２３０は、速度制御を開始するときに第１電流値の電流が電動機２１６に供給されるように、速度制御を実行する。速度制御部２３０は、上記の通り、ＰＩＤ制御により、フォーカスレンズ２１０の速度を示す値とフォーカスレンズ２１０の目標速度を示す目標値との差分に基づいて、速度制御を実行する。速度制御部２３０は、その差分の積分値を示す値の初期値として、第１電流値を用いてよい。ＰＩＤ制御の積分値は、速度制御を開始する時点で、ゼロであるため、速度制御部２３０が、差分の積分値をそのまま利用すると、速度制御の開始時に電動機２１６に供給される電流値がゼロになってしまう。そこで、速度制御部２３０が、その差分の積分値を示す値の初期値として、第１電流値を用いることで、速度制御の開始時に電動機２１６に供給される電流値が第１電流値となる。これにより、速度制御の開始時にフォーカスレンズ２１０の移動が不安定になることを抑制できる。
【００４１】
決定部２２６は、上記の通り、撮像装置１００の姿勢と、速度制御を開始するときに電動機２１６に供給する電流値と、フォーカスレンズ２１０の移動方向との予め定められた対応関係を示す情報に基づいて、第１電流値を決定してよい。しかし、撮像装置１００の使用環境の変化、フォーカスレンズ２１０の僅かな経時変形などにより、フォーカスレンズ２１０の駆動機構に加わる負荷が変化する可能性がある。このような変化により、撮像装置１００の姿勢が同じでも、フォーカスレンズ２１０の速度を目標速度にするために、電動機２１６に供給すべき電流値が変化する可能性がある。そこで、速度制御を開始するときに電動機２１６に供給すべき第１電流値は適宜更新されることが好ましい。すなわち、撮像装置１００の姿勢と、速度制御を開始するときに電動機２１６に供給する電流値と、フォーカスレンズ２１０の移動方向との予め定められた対応関係を示す情報は、適宜更新されることが好ましい。
【００４２】
そこで、電流値取得部２２７は、速度制御が実行されているときに、電動機２１６に供給されている電流の第２電流値を取得する。更新部２２８は、第２電流値に基づいて、予め定められた対応関係に示される姿勢情報が示す撮像装置１００の姿勢及びフォーカスレンズ２１０の移動方向に対応する第１電流値を更新する。メモリ２２２は、図５に示すような、予め定められた対応関係を示す情報を記憶してよい。決定部２２６は、メモリ２２２を参照して、図５に示すような予め定められた対応関係を示す情報に基づいて、速度制御を開始するときに電動機２１６に供給すべき第１電流値を決定してよい。
【００４３】
速度制御が実行されているときに電動機２１６に供給されている電流値が必ずしも適切な電流値であるとは限らない。撮像装置１００に衝撃が加わった場合など突発的な事情で、電動機２１６に供給されている電流値が大きく乱れる可能がある。このような場合に電動機２１６に供給されている電流値で、予め定められた対応関係を示す情報が更新されることは好ましくない。
【００４４】
そこで、更新部２２８は、電流値取得部２２７により取得された第２電流値が予め定められた電流値の範囲の場合、第２電流値に基づいて、予め定められた対応関係に示される姿勢情報が示す撮像装置の姿勢及びレンズの移動方向に対応する第１電流値を更新してよい。
【００４５】
また、フォーカスレンズ２１０の移動が開始された直後は、電動機２１６に供給されている電流値が安定していない可能性がある。図４に示すように、フォーカスレンズ２１０の移動が開始する直後は、比較的大きな電流が電動機２１６に供給されている。そこで、更新部２２８は、フォーカスレンズ２１０の移動が開始されてから予め定められた期間が経過した後の第２電流値が電流値取得部２２７により取得されている場合、第２電流値に基づいて予め定められた対応関係に示される姿勢情報が示す撮像装置の姿勢及びフォーカスレンズ２１０の移動方向に対応する第１電流値を更新してよい。
【００４６】
さらに、速度制御を開始するときに電動機２１６に供給される電流の電流値が大きいすぎると、フォーカスレンズ２１０の移動が不安定になる可能性がある。そこで、更新部２２８は、電流値取得部２２７により取得された第２電流値をそのまま使用せずに、第２電流値を予め定められた条件に従って小さくした値に、予め定められた対応関係に示される姿勢情報が示す撮像装置の姿勢及びフォーカスレンズ２１０の移動方向に対応する第１電流値を更新してよい。更新部２２８は、第２電流値に１より小さい予め定められた割合（例えば、０．９など）を乗算して得られる値で、第１電流値を更新してよい。
【００４７】
図６は、電流値の更新手順の一例を示すフローチャートである。レンズ制御部２２０が、フォーカス制御命令を受けて、フォーカスレンズ２１０の駆動を開始する（Ｓ１００）。姿勢情報取得部２２４が、姿勢センサ２４０を介して撮像装置１００の姿勢情報を取得する（Ｓ１０２）。決定部２２６は、姿勢情報が示す姿勢（傾斜角）に対応する電流値を決定する。
【００４８】
速度制御部２３０は、撮像装置１００の姿勢（傾斜角）に対応する電流値を積分器の初期値として電動機２１６に電流を供給することで速度制御を開始し、フォーカスレンズ２１０を目標速度で移動させる（Ｓ１０４）。電流値取得部２２７は、速度制御が実行されている間に、電動機２１６への電流の供給を停止する直前の電流値を取得する（Ｓ１０６）。
【００４９】
更新部２２８は、取得された電流値が、姿勢情報が示す姿勢、及びフォーカスレンズ２１０の移動方向に対応付けて予め定められた対応関係を示す情報に示される規定値と異なるか否かを判定する（Ｓ１０８）。更新部２２８は、取得された電流値が規定値と同じであれば、積分器の初期値として利用する電流値の更新は不要と判断して処理を終了する。
【００５０】
一方、更新部２２８は、電流値が規定値と異なる場合、電流値が予め定められた範囲内か否かを判定する。電流値が予め定められた範囲内でなければ、電流値は更新する値として不適切と判断して、更新部２２８は、処理を終了する。電流値が予め定められた範囲内であれば、更新部２２８は、電流値が、フォーカスレンズ２１０の駆動を開始してから予め定められた時間が経過してから取得された電流値であるか否かを判定する。予め定められた時間が経過していなければ、電流値は更新する値として不適切と判断して、更新部２２８は、処理を終了する。
【００５１】
予め定められた時間が経過していれば、更新部２２８は、電流値は更新する値として適切であると判断して、電流値に予め定められた重み付けをして、例えば、その電流値に０．９を乗算して、その値を、速度制御の積分器の初期値となるように、撮像装置１００の姿勢と、速度制御を開始するときに電動機２１６に供給する電流値と、フォーカスレンズ２１０の移動方向との予め定められた対応関係を示す情報を更新する（Ｓ１１４）。
【００５２】
以上のように、本実施形態に係る撮像装置１００によれば、ＰＩＤ制御による速度制御の開始直後に、フォーカスレンズ２１０の移動が不安定になることを抑制できる。また、ＰＩＤ制御による速度制御を開始するときに電動機２１６に供給される電流の初期値が、速度制御が実行されているときに電動機２１６に供給されている電流の電流値に従って適宜更新される。よって、撮像装置１００の使用環境の変化、フォーカスレンズ２１０の僅かな経時変形などにより、フォーカスレンズ２１０の駆動機構に加わる負荷が変化することで、初期値が不適切な値となり、フォーカスレンズ２１０の移動が不安定になることを抑制できる。
【００５３】
上記のような撮像装置１００は、移動体に搭載されてもよい。撮像装置１００は、図７に示すような、無人航空機（ＵＡＶ）に搭載されてもよい。ＵＡＶ１０は、ＵＡＶ本体２０、ジンバル５０、複数の撮像装置６０、及び撮像装置１００を備えてよい。ジンバル５０、及び撮像装置１００は、撮像システムの一例である。ＵＡＶ１０は、推進部により推進される移動体の一例である。移動体とは、ＵＡＶの他、空中を移動する他の航空機などの飛行体、地上を移動する車両、水上を移動する船舶等を含む概念である。
【００５４】
ＵＡＶ本体２０は、複数の回転翼を備える。複数の回転翼は、推進部の一例である。ＵＡＶ本体２０は、複数の回転翼の回転を制御することでＵＡＶ１０を飛行させる。ＵＡＶ本体２０は、例えば、４つの回転翼を用いてＵＡＶ１０を飛行させる。回転翼の数は、４つには限定されない。また、ＵＡＶ１０は、回転翼を有さない固定翼機でもよい。
【００５５】
撮像装置１００は、所望の撮像範囲に含まれる被写体を撮像する撮像用のカメラである。ジンバル５０は、撮像装置１００を回転可能に支持する。ジンバル５０は、支持機構の一例である。例えば、ジンバル５０は、撮像装置１００を、アクチュエータを用いてピッチ軸で回転可能に支持する。ジンバル５０は、撮像装置１００を、アクチュエータを用いて更にロール軸及びヨー軸のそれぞれを中心に回転可能に支持する。ジンバル５０は、ヨー軸、ピッチ軸、及びロール軸の少なくとも１つを中心に撮像装置１００を回転させることで、撮像装置１００の姿勢を変更してよい。
【００５６】
複数の撮像装置６０は、ＵＡＶ１０の飛行を制御するためにＵＡＶ１０の周囲を撮像するセンシング用のカメラである。２つの撮像装置６０が、ＵＡＶ１０の機首である正面に設けられてよい。更に他の２つの撮像装置６０が、ＵＡＶ１０の底面に設けられてよい。正面側の２つの撮像装置６０はペアとなり、いわゆるステレオカメラとして機能してよい。底面側の２つの撮像装置６０もペアとなり、ステレオカメラとして機能してよい。複数の撮像装置６０により撮像された画像に基づいて、ＵＡＶ１０の周囲の３次元空間データが生成されてよい。ＵＡＶ１０が備える撮像装置６０の数は４つには限定されない。ＵＡＶ１０は、少なくとも１つの撮像装置６０を備えていればよい。ＵＡＶ１０は、ＵＡＶ１０の機首、機尾、側面、底面、及び天井面のそれぞれに少なくとも１つの撮像装置６０を備えてもよい。撮像装置６０で設定できる画角は、撮像装置１００で設定できる画角より広くてよい。撮像装置６０は、単焦点レンズまたは魚眼レンズを有してもよい。
【００５７】
遠隔操作装置３００は、ＵＡＶ１０と通信して、ＵＡＶ１０を遠隔操作する。遠隔操作装置３００は、ＵＡＶ１０と無線で通信してよい。遠隔操作装置３００は、ＵＡＶ１０に上昇、下降、加速、減速、前進、後進、回転などのＵＡＶ１０の移動に関する各種命令を示す指示情報を送信する。指示情報は、例えば、ＵＡＶ１０の高度を上昇させる指示情報を含む。指示情報は、ＵＡＶ１０が位置すべき高度を示してよい。ＵＡＶ１０は、遠隔操作装置３００から受信した指示情報により示される高度に位置するように移動する。指示情報は、ＵＡＶ１０を上昇させる上昇命令を含んでよい。ＵＡＶ１０は、上昇命令を受け付けている間、上昇する。ＵＡＶ１０は、上昇命令を受け付けても、ＵＡＶ１０の高度が上限高度に達している場合には、上昇を制限してよい。
【００５８】
図８は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００５９】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００６０】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００６１】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００６２】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００６３】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００６４】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６７】
１０  ＵＡＶ
２０  ＵＡＶ本体
５０  ジンバル
６０  撮像装置
１００  撮像装置
１０２  撮像部
１１０  撮像制御部
１２０  イメージセンサ
１３０  メモリ
１６０  表示部
１６２  指示部
２００  レンズ部
２１０  フォーカスレンズ
２１１  ズームレンズ
２１２，２１３  レンズ駆動部
２１６，２１７  電動機
２１８，２１９  エンコーダ
２２０  レンズ制御部
２２２  メモリ
２２４  姿勢情報取得部
２２６  決定部
２２７  電流値取得部
２２８  更新部
２３０  速度制御部
２４０  姿勢センサ
３００  遠隔操作装置
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【図１】
2020067558.tif 000003
【図２】
2020067558.tif 000004
【図３】
2020067558.tif 000005
【図４】
2020067558.tif 000006
【図５】
2020067558.tif 000007
【図６】
2020067558.tif 000008
【図７】
2020067558.tif 000009
【図８】
2020067558.tif 000010
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
レンズと前記レンズを駆動する電動機を備える撮像装置を制御する制御装置であって、
前記撮像装置の姿勢を示す姿勢情報を取得する第１取得部と、
第１電流値、前記撮像装置の姿勢、及び前記レンズの移動方向の予め定められた対応関係を示す情報、及び前記姿勢情報に基づいて第１電流値を決定する決定部と、
前記レンズの速度を示す値と前記レンズの目標速度を示す目標値との差分に基づいて、前記電動機に供給する電流を制御することで、前記レンズの速度が前記目標速度になるように速度制御を実行する制御部と、
前記速度制御が実行されているときに、前記電動機に供給されている電流の第２電流値を取得する第２取得部と、
前記第２電流値に基づいて、前記予め定められた対応関係に示される前記姿勢情報が示す前記撮像装置の姿勢及び前記レンズの移動方向に対応する第１電流値を更新する更新部と
を備え、
前記制御部は、前記速度制御を開始するときに前記第１電流値の電流が前記電動機に供給されるように、前記速度制御を実行し、
前記更新部は、前記レンズの移動が開始されてから予め定められた期間が経過した後の前記第２電流値が前記第２取得部により取得されている場合、前記第２電流値に基づいて前記予め定められた対応関係に示される前記姿勢情報が示す前記撮像装置の姿勢及び前記レンズの移動方向に対応する第１電流値を更新する、制御装置。
【請求項２】
前記制御部は、前記差分の積分値を示す値に基づいて、前記速度制御を実行し、
前記決定部は、前記差分の積分値を示す値の初期値として、前記第１電流値を決定する、請求項１に記載の制御装置。
【請求項３】
前記決定部は、前記レンズの移動方向にさらに基づいて前記第１電流値を決定する、請求項１に記載の制御装置。
【請求項４】
前記更新部は、前記第２電流値が予め定められた電流値の範囲の場合、前記第２電流値に基づいて、前記予め定められた対応関係に示される前記姿勢情報が示す前記撮像装置の姿勢及び前記レンズの移動方向に対応する第１電流値を更新する、請求項１から３の何れか1つに記載の制御装置。
【請求項５】
前記更新部は、前記第２電流値を予め定められた条件に従って小さくした値に、前記予め定められた対応関係に示される前記姿勢情報が示す前記撮像装置の姿勢及び前記レンズの移動方向に対応する第１電流値を更新する、請求項１から４の何れか１つに記載の制御装置。
【請求項６】
前記電動機は、ギアまたはカムを介して前記レンズを駆動する、請求項１から５の何れか１つに記載の制御装置。
【請求項７】
請求項１から６の何れか１つに記載の制御装置と、
前記レンズと、
前記電動機と、
前記レンズを介して光を受光するイメージセンサと
を備える撮像装置。
【請求項８】
請求項７に記載の撮像装置と、前記撮像装置の姿勢を調整可能に支持する支持機構とを備えて移動する移動体。
【請求項９】
レンズと前記レンズを駆動する電動機を備える撮像装置を制御する制御方法であって、
前記撮像装置の姿勢を示す姿勢情報を取得する段階と、
第１電流値、前記撮像装置の姿勢、及び前記レンズの移動方向の予め定められた対応関係を示す情報、及び前記姿勢情報に基づいて第１電流値を決定する段階と、
前記レンズの速度を示す値と前記レンズの目標速度を示す目標値との差分に基づいて、前記電動機に供給する電流を制御することで、前記レンズの速度が前記目標速度になるように速度制御を実行する段階と、
前記速度制御が実行されているときに、前記電動機に供給されている電流の第２電流値を取得する段階と、
前記第２電流値に基づいて、前記予め定められた対応関係に示される前記姿勢情報が示す前記撮像装置の姿勢及び前記レンズの移動方向に対応する第１電流値を更新する段階と
を備え、
前記速度制御を実行する段階は、前記速度制御を開始するときに前記第１電流値の電流が前記電動機に供給されるように、前記速度制御を実行する段階を含み、
前記更新する段階は、前記レンズの移動が開始されてから予め定められた期間が経過した後の前記第２電流値が取得されている場合、前記第２電流値に基づいて前記予め定められた対応関係に示される前記姿勢情報が示す前記撮像装置の姿勢及び前記レンズの移動方向に対応する第１電流値を更新する段階を含む、制御方法。
【請求項１０】
請求項１から６の何れか１つに記載の制御装置としてコンピュータを機能させるためのプログラム。